(57)【特許請求の範囲】
【請求項１】
床面上に立脚される支持脚と、物品を載置可能な上面を有し、前記支持脚上に支持された天板と、を備えたテーブル装置であって、
前記天板を、前記上面が水平となる使用状態と、前記上面が水平に対して傾斜した状態との間で回動可能とする天板回動機構と、
前記天板を前記使用状態で拘束し、また拘束を解除可能な天板拘束機構と、
前記支持脚の下面に設けられ、前記床面上を走行移動可能とするキャスターと、
前記キャスターによる前記テーブル装置の移動を拘束し、また拘束を解除可能な移動拘束機構と、
前記天板拘束機構および前記移動拘束機構を操作する操作部材と、を備え、
前記操作部材は、
前記天板拘束機構により前記天板を前記使用状態に拘束し、かつ前記移動拘束機構により前記テーブル装置の移動を拘束した第一の状態と、
前記天板拘束機構により前記天板の前記使用状態に拘束し、かつ前記移動拘束機構による前記テーブル装置の移動の拘束を解除した第二の状態と、
前記天板拘束機構による前記天板の前記使用状態での拘束を解除し、かつ前記移動拘束機構による前記テーブル装置の移動の拘束を解除した第三の状態と、の間で前記天板拘束機構および前記移動拘束機構を切換操作することを特徴とするテーブル装置。
【請求項２】
前記操作部材は、その操作可動領域内で、前記第一の状態と前記第二の状態と前記第三の状態との間で切換操作がなされることを特徴とする請求項１に記載のテーブル装置。
【請求項３】
前記操作部材は、前記天板回動機構における前記天板の回転軸と平行な軸周りに回動可能に設けられ、
前記操作部材の回転動作により、前記切換操作がなされることを特徴とする請求項２に記載のテーブル装置。
【請求項４】
前記天板拘束機構は、
前記操作部材と一体に設けられた係止部と、
前記支持脚側に形成されて前記係止部が係止される被係止部と、を有し、
前記操作部材を操作することで、前記係止部と前記被係止部との係止・非係止が切換操作されることを特徴とする請求項１から３のいずれか一項に記載のテーブル装置。
【請求項５】
前記操作部材は、
前記操作部材の回動動作にともなって前記操作部材の軸周りに回動するアーム部材と、
前記移動拘束機構に連結され、前記アーム部材の回動動作によって操作されるレバー部材と、
前記レバー部材に設けられた突起が挿入されたガイド溝を有したガイド部材と、を備え、
前記アーム部材の回動動作によって前記レバー部材が操作され、前記突起が前記ガイド溝に沿って移動することで、前記移動拘束機構における前記テーブル装置の移動の拘束・解除が切り換えられることを特徴とする請求項１から４のいずれか一項に記載のテーブル装置。
【請求項６】
前記ガイド部材は、一端側が回転自在に支持され、他端部側が、前記一端側を中心としてスイング可能とされ、
前記レバー部材は、前記アーム部材と、前記突起が挿入された前記ガイド溝のみによって支持された浮動構造であることを特徴とする請求項５に記載のテーブル装置。
【請求項７】
前記移動拘束機構は、
前記支持脚から下方に向けて出没可能な接地部材と、
前記操作部材の操作によって前記接地部材を出没させるロッドと、を有することを特徴とする請求項１から６のいずれか一項に記載のテーブル装置。
【請求項８】
前記接地部材は、前記支持脚から下方に向けて突出したときに、前記キャスターを接地させた状態のまま、床面との間に生じる摩擦抵抗により、前記キャスターによる前記テーブル装置の移動を拘束することを特徴とする請求項７に記載のテーブル装置。
【請求項９】
前記第三の状態において、前記天板を回動させて前記使用状態から収納可能な状態に前記天板が傾斜した収納状態に移行させると、前記天板を前記収納状態のまま回転不能としつつ、前記移動拘束機構による前記テーブル装置の移動の拘束を解除した第四の状態に移行可能であることを特徴とする請求項１から８のいずれか一項に記載のテーブル装置。
【発明の詳細な説明】
【技術分野】
【０００１】
本発明は、会議や打ち合わせ等の際に用いられるテーブル装置に関する。
【背景技術】
【０００２】
オフィスや、公共施設、教育施設、商業施設、病院等の各種施設において、会議や打合せをはじめとする様々な目的において、いわゆる会議用テーブルなどのテーブル装置が広く用いられている。
このようなテーブル装置は、使用者の要望に応じて、その配置を容易に変更できるよう、キャスターを備えている。
また、不使用時には、テーブル装置の天板を跳ね上げたり折り畳んだりし、複数台のテーブル装置を前後に重合させることによって、小さな保管スペースで収容保管できるようになっているものがある。
【０００３】
このようなテーブル装置としては、什器として使用している場合においてはテーブル装置の移動を拘束し、配置を変更したい場合にはキャスターによるテーブル装置の移動を許容する移動ストッパ機構が設けられていることが望ましい。
【０００４】
特許文献１には、こうした移動ストッパ機構として、使用者の操作に応じて、テーブル装置の脚体の下部から下方に向かって接地脚を突出させて床面に接地させるとともに、キャスターを床面から浮き上がらせた状態とすることによって、テーブル装置の移動を拘束する方法が提案されている。
【０００５】
また、特許文献２には、天板を跳ね上げる際の天板の回転力を用いて前述のような移動ストッパ機構の操作を行うようにしたものが提案されている。
【先行技術文献】
【特許文献】
【０００６】
【特許文献１】特開２０１１−２４５１０５号公報
【特許文献２】特開２００７−３０１３０２号公報
【発明の概要】
【発明が解決しようとする課題】
【０００７】
しかしながら、特許文献１に記載されたような構成によれば、接地脚を下方に突出させて床面に接地させることによって、テーブル装置の移動を確実に拘束することができるが、使用者の操作によって、接地脚を突出させつつテーブル装置全体を持ち上げることによって、キャスターを床面から浮上させる。したがって、大きな操作力が必要になる。
【０００８】
また、特許文献２に記載の構成によれば、天板の回転力を操作力として用いることで、ストッパ機構の操作を行うために使用者に必要とされる操作力を比較的小さくすることができる。
しかし、この構成においては、天板を跳ね上げることによって、キャスターのロックが解除されてテーブル装置の移動が拘束される。つまり、天板を跳ね上げない限りテーブル装置を移動することができない。したがって、例えば、天板上に荷物等の物品を置いたままの状態では、少しの距離であってもテーブル装置が移動できず、利便性を損ねるという問題がある。
そこでなされた本発明は、天板を容易に跳ね上げることができるとともに、天板を跳ね上げない状態であっても軽い操作で移動することのできるテーブル装置を提供することを課題とする。
【課題を解決するための手段】
【０００９】
本発明は、上記課題を解決するため、以下の手段を採用する。
すなわち、本発明は、床面上に立脚される支持脚と、物品を載置可能な上面を有し、前記支持脚上に支持された天板と、を備えたテーブル装置であって、前記天板を、前記上面が水平となる使用状態と、前記上面が水平に対して傾斜した状態との間で回動可能とする天板回動機構と、前記天板を前記使用状態で拘束し、また拘束を解除可能な天板拘束機構と、前記支持脚の下面に設けられ、前記床面上を走行移動可能とするキャスターと、前記キャスターによる前記テーブル装置の移動を拘束し、また拘束を解除可能な移動拘束機構と、前記天板拘束機構および前記移動拘束機構を操作する操作部材と、を備え、前記操作部材は、  前記天板拘束機構により前記天板を前記使用状態に拘束し、かつ前記移動拘束機構により前記テーブル装置の移動を拘束した第一の状態と、前記天板拘束機構により前記天板の前記使用状態に拘束し、かつ前記移動拘束機構による前記テーブル装置の移動の拘束を解除した第二の状態と、前記天板拘束機構による前記天板の前記使用状態での拘束を解除し、かつ前記移動拘束機構による前記テーブル装置の移動の拘束を解除した第三の状態と、の間で前記天板拘束機構および前記移動拘束機構を切換操作することを特徴とする。
これにより、操作部材を操作することで、第一の状態、第二の状態、第三の状態との切換を行うことができる。第一の状態では、天板が使用状態に拘束され、テーブル装置の移動が拘束されているので、テーブル装置を使用者が使用する際に、テーブル装置を確実に固定できる。第二の状態では、天板が使用状態に拘束され、テーブル装置の移動の拘束が解放されるので、天板を水平にした状態のまま、テーブル装置を容易に移動できる。第三の状態では、天板の使用状態での拘束が解放され、テーブル装置の移動の拘束が解放されるので、天板を撥ね上げてテーブル装置を移動でき、不使用時に複数台のテーブル装置を重畳させて収納することができる。
【００１０】
また、第三の状態において、天板を回動させて使用状態から収納可能な状態に前記天板が傾斜した収納状態に移行させると、天板を収納状態のまま回転不能としつつ、移動拘束機構によるテーブル装置の移動の拘束を解除した第四の状態に移行することができる。
【００１１】
操作部材は、その操作可動領域内で、第一の状態と第二の状態と第三の状態との間で切換操作がなされるのが好ましい。これにより、操作部材における切換操作を容易に行うことができる。
このような操作部材は、天板回動機構における天板の回転軸と平行な軸周りに回動可能に設けられ、操作部材の回転動作により、切換操作がなされるのが好ましい。これにより、第一の状態と第二の状態と第三の状態の切換操作を連続的に行うこともでき、操作性に優れる。
【００１２】
ところで、操作部材は、具体的には、操作部材の回動動作にともなって操作部材の軸周りに回動するアーム部材と、移動拘束機構に連結され、アーム部材の回動動作によって操作されるレバー部材と、レバー部材に設けられた突起が挿入されたガイド溝を有したガイド部材と、を備え、アーム部材の回動動作によってレバー部材が操作され、突起がガイド溝に沿って移動することで、移動拘束機構におけるテーブル装置の移動の拘束・解除が切り換えられる構成とすることができる。
これによって、操作部材を回動操作することによって、アーム部材が回動し、ガイド部材のガイド溝に沿って突起が移動してレバー部材が操作される。すると、移動拘束機構におけるテーブル装置の移動の拘束・解除が切り換えられる。
【００１３】
この場合、ガイド部材は、一端側が回転自在に支持され、他端部側が、一端側を中心としてスイング可能とされ、レバー部材は、前記アーム部材と、前記突起が挿入された前記ガイド溝のみによって支持された浮動構造であるのが好ましい。
これによって、天板を回動させても、レバー部材の突起の位置が移動せず、移動拘束機構の状態が維持できる。
【００１４】
ここで、天板拘束機構は、所要の機能を実現できるのであればいかなる構成としてもよいが、操作部材と一体に設けられた係止部と、支持脚側に形成されて係止部が係止される被係止部と、を有し、操作部材を操作することで、係止部と被係止部との係止・非係止が切換操作されるようにするのが好ましい。
また、移動拘束機構は、支持脚から下方に向けて出没可能な接地部材と、操作部材の操作によって接地部材を出没させるロッドと、を有するようにするのが好ましいい。
ここで、接地部材は、支持脚から下方に向けて突出したときに、キャスターを接地させた状態のまま、床面との間に生じる摩擦抵抗により、テーブル装置の移動を拘束するのが好ましい。接地部材を突出させたときに、キャスターを床面から浮上させるには、テーブル装置を持ちあげなければならず、大きな操作力が要求されるが、このような構成とすることで、軽い操作力でテーブル装置の移動を拘束できる。
【発明の効果】
【００１５】
本発明によれば、操作部材を操作することで、第一の状態、第二の状態、第三の状態との切り換えを行うことができる。これにより、使用者の操作部材の操作に応じて、天板の撥ね上げの有無、テーブル装置の移動の拘束の有無を容易に選択することができる。
そして、操作部材の操作により、天板の拘束を解除した状態では、天板を軽い操作力で容易に回転させることが可能となる。また、操作部材の回転は、天板の回転動作とは独立しているため、軽い操作力で操作可能となる。
また、操作部材の操作のみで、天板を撥ね上げることなく、テーブル装置の移動の拘束を解除することができる。これにより、天板上に物品等を載せたままでも、テーブル装置を容易に移動させることができ、利便性を高めることができる。
【００１６】
操作部材は、その回転動作により、切換操作を行うことができる。これにより、第一の状態と第二の状態と第三の状態の切換操作を連続的に行うこともでき、操作がシンプルで使用者にとってわかりやすく、操作性に優れる。
【００１７】
さらには、接地部材は、支持脚から下方に向けて突出したときに、キャスターを接地させた状態のまま、床面との間に生じる摩擦抵抗により、テーブル装置の移動を拘束することができる。これにより、軽い操作力で操作部材を操作してテーブル装置の移動を拘束できる。
【図面の簡単な説明】
【００１８】
【図１】本実施形態にかかるテーブル装置の構成を示すテーブル装置右側部分を右側から断面視した断面図である。
【図２】図１のテーブル装置の要部について、テーブル装置左側部分を後方から見たときの斜視図である。
【図３】図２に示した構成の一部部品を除外した状態での斜視図である。
【図４】テーブル装置の天板を引き上げた第三の状態を示すテーブル装置右側部分を右側から断面視した断面図である。
【図５】図３に示した構成の一部部品を除外した状態での斜視図である。
【図６】図５に示した構成の一部部品を除外した状態での斜視図である。
【図７】テーブル装置におけるストッパ機構の構成を示す断面図である。
【図８】図７の要部拡大図である。
【図９】（ａ）は第一の状態、（ｂ）は第二の状態を示す側面図である。
【発明を実施するための形態】
【００１９】
以下、添付図面を参照して、本発明によるテーブル装置を実施するための最良の形態を説明する。しかし、本発明はこの実施形態のみに限定されるものではない。
【００２０】
図１は、テーブル装置１０の構成を示す断面図である。ここで、図１は、テーブル装置１０を使用する際に使用者が着席する側を前側、反対側を後側として、手前側から奥側を見た場合に、右側部分について、後述するカムプレート２９の位置で右側から左側に向けて断面視した断面図である。また、以下の説明において、テーブル装置１０が設置される床面Ｆ側を「下方」、その反対方向を「上方」、ユーザがテーブル装置１０に対向する側を「前方」、その反対側を「後方」または「背面側」と適宜称する。
【００２１】
この図１に示すように、テーブル装置１０は、床面Ｆ上に立脚する一対の支持脚２０と、物品が載置可能な上面３０ａを有し、支持脚２０の上端部に支持された例えば矩形状の天板３０と、テーブル装置１０の背面側において天板３０の下方に位置し、支持脚２０の間の空間を閉塞する幕板１５と、を備えている。
ここで、図１は、テーブル装置１０の断面図であって右側部分を右側から左側に向けて断面視しているために、反対側となる左側の支持脚２０のみしか図示されていないが、天板３０は、図１の紙面に直交する方向に長手方向を有する矩形状であり、支持脚２０は、その長手方向の両端部にそれぞれ設けられている。
なお、本発明においては、支持脚２０を二本一対に限定するものではなく、天板３０のサイズや形状によっては、一本のみの支持脚２０を備える構成とすることもできる。
【００２２】
支持脚２０は、床面Ｆ上に設置されるベース部２１と、ベース部２１から上方に延び、天板３０を下方から安定して支持可能な中空柱状の支柱部２３とを備えている。本実施形態において、支柱部２３は、ベース部２１の後端部２１ｒから斜め前方に向けて湾曲するよう立設されている。
【００２３】
ベース部２１の前端部２１ｆおよび後端部２１ｒには、床面Ｆ上で回転自在なキャスター２４，２５が設けられており、これにより、テーブル装置１０は、床面Ｆ上で容易に走行移動可能とされている。
【００２４】
また、ベース部２１の一端部、例えば後方側の端部には、下方に向けて出没可能なパッド（接地部材）５１を備え、キャスター２４，２５によるテーブル装置１０の移動を拘束し、また拘束を解除可能な移動拘束機構であるストッパ機構５０が設けられている。
【００２５】
図１、図２に示すように、一対の支持脚２０、２０は、天板３０の幅方向に延びる連結シャフト２６によって一体的に連結されている。図３に示すように、この連結シャフト２６は、その両端部に取付プレート部２７を有しており、取付プレート部２７が支柱部２３にボルト等によって固定されている。
【００２６】
このようなテーブル装置１０において、天板３０および幕板１５は、天板３０が水平で幕板１５が天板３０の背面側で垂直となる使用状態と、使用状態から天板３０を上方に撥ね上げて収納可能な傾斜状態とした収納状態との間で、切換え可能とされている。
以下、そのための構成について説明する。
【００２７】
（天板回動機構）
図１、図３に示すように、天板３０は、その両端部に、それぞれサポートフレーム３１がボルト等によって固定されて一体的に設けられている。
各サポートフレーム３１は、天板３０の下面３０ｂに直交する面内に位置し、下面３０ｂに複数本のボルト３２によって固定されている。
【００２８】
サポートフレーム３１には、両側の支持脚２０，２０を結ぶ方向に軸線を有するシャフト３３が設けられている。このシャフト３３が、カムプレート部２９に、その軸線周りに回転自在に支持されている。
これによって、天板３０は、両端部のサポートフレーム３１に設けられたシャフト３３を中心として回動自在とされ、図１に示したように、天板３０を上面３０ａが水平となる使用状態と、図４に示したように、天板３０の前端部３０ｆ側を上方に撥ね上げて傾斜した収納状態との間で回動可能とされている。
ここで、図１に示したように、天板３０を水平とした使用状態では、天板３０の下面３０ｂがカムプレート部２９の上面２９ｕに突き当たることで、天板３０の上面３０ａを使用状態に維持するとともに、天板３０の前端部３０ｆが、水平とした使用状態から下方に回転するのを規制する。
また、図４に示したように、天板３０を撥ね上げた状態では、天板３０の下面３０ｂがカムプレート部２９の斜面２９ｓに突き当たることで、サポートフレーム３１に形成された凹部３１ｂに連結シャフト２６が嵌まり込み、これによって、天板３０の前端部３０ｆを上方となる撥ね上げる方向への回転を規制する。
【００２９】
（移動拘束機構）
連結シャフト２６には、サポートフレーム３１と所定のクリアランスを確保した状態で、連結シャフト２６の軸線に直交する面内に位置してサポートフレーム３１に対向するカムプレート２９が設けられている。
このカムプレート２９は、その基部２９ａが、連結シャフト２６の外周面に一体的に固定されている。そして、カムプレート２９は、基部２９ａから上方に延び、前記のシャフト３３が貫通固定されている。また、カムプレート２９には、その内方に後に説明するカムガイド孔２９ｃが形成され、下方の外周面には、ロック爪係合溝（被係止部）２９ｂが形成されている。
【００３０】
図６に示すように、カムプレート２９の一面側に、浮動レバー部材（レバー部材）３６が配置されている。浮動レバー部材３６は、略Ｕ字状のレバー部３６ａと、レバー部３６ａに対し、カムプレート２９とは反対側に突出形成された回転シャフト３６ｂと、レバー部３６ａの一端側において回転シャフト３６ｂと同じ側に突出形成された第一ガイド突起３６ｃと、レバー部３６ａの一端側において回転シャフト３６ｂと反対側に突出形成された第二ガイド突起３６ｄと、を備えている。
【００３１】
図５に示したように、浮動レバー部材３６に対し、カムプレート２９側とは反対側には、スイングプレート３７が配置されている。このスイングプレート３７は、その一端部３７ａが天板３０の回転中心となるシャフト３３に回転自在に連結されている。これにより、スイングプレート３７は、シャフト３３を中心として回動自在とされ、他端部３７ｂ側をスイング可能としている。
スイングプレート３７の自由端側となる他端部３７ｂには、浮動レバー部材３６の回転シャフト３６ｂが挿通されている。これにより、浮動レバー部材３６は、スイングプレート３７の自由端側となる他端部３７ｂにおいて、回転シャフト３６ｂを中心として回動可能とされている。
スイングプレート３７には、回転シャフト３６ｂを中心とした円弧状のガイド溝３７ｃが形成されている。このガイド溝３７ｃ内には、第一ガイド突起３６ｃが挿入配置されている。これにより、浮動レバー部材３６は、第一ガイド突起３６ｃがガイド溝３７ｃの範囲内で移動することで、回転シャフト３６ｂを中心とした回動範囲が規制されている。
【００３２】
また、浮動レバー部材３６の第二ガイド突起３６ｄは、カムプレート２９のカムガイド孔２９ｃ内に位置するよう配置されて、カムガイド孔２９ｃの範囲内で移動可能とされている。このカムガイド孔２９ｃは、第二ガイド突起３６ｄの移動動作を妨げないよう形成されている。
【００３３】
図６に示したように、サポートフレーム３１には、その上部にシャフト収容溝３８が形成されている。これらシャフト収容溝３８には、シャフト３３と平行に設けられた回転シャフト３９が、その軸線周りに回転自在に支持されている。回転シャフト３９の少なくとも一方の端部３９ａは、サポートフレーム３１よりも側方に突出している。
【００３４】
図７、図８に示すように、ベース部２１に設けられた前記のストッパ機構５０は、円板状のパッド５１を備える。このパッド５１の上面には、鉛直上方に延びるシャフト５２が設けられている。中空の支柱部２３内には、筒状のスリーブ５３が設けられており、シャフト５２は、このスリーブ５３内に挿通され、上下方向にスライド可能とされている。シャフト５２の上端部５２ｂは、スリーブ５３の上端部よりも上方に突出するよう設けられている。
【００３５】
支柱部２３内には、ストッパ動作アーム５５が設けられている。ストッパ動作アーム５５は、ピン５６により、支柱部２３に対して鉛直面内で回動自在に設けられている。そして、ストッパ動作アーム５５は、ピン５６に対して一方の端部５５ａが、この端部５５ａを上方に引き上げる方向の付勢力を付与するスプリング等の付勢部材５７に連結されている。
そして、前記のシャフト５２の上端部５２ｂは、このストッパ動作アーム５５において、ピン５６と、ピン５６を挟んだ他方の端部５５ｂとの中間部に連結されている。
ストッパ動作アーム５５において、ピン５６を挟んだ他方の端部５５ｂには、パッド５１およびシャフト５２を上下方向に移動させてパッド５１を出没させる操作ロッド５８の下端部５８ａが連結されている。この操作ロッド５８は、支柱部２３内に設けられた筒状の管体５９内に挿通され、その上端部５８ｂは、浮動レバー部材３６の第一ガイド突起３６ｃに連結されている。
【００３６】
（天板拘束機構）
図６に示したように、また、回転シャフト３９には、側面視Ｖ字状の係止爪部材４１およびアーム部材４２が一体的に設けられている。
ここで、係止爪部材４１は、カムプレート２９と同一面内に位置するよう設けられ、回転シャフト３９からカムプレート２９の下部外周面に沿って延び、その先端部に形成された係止爪（係止部）４１Ｓが、カムプレート２９のロック爪係合溝（被係止部）２９ｂに係止可能とされている。係止爪４１Ｓがロック爪係合溝２９ｂに係止された状態では、天板３０は、その回転が拘束されて、上面３０ａが水平となる状態とされている。
【００３７】
また、アーム部材４２は、係止爪部材４１に対し、カムプレート２９の厚さ方向にオフセットして形成され、浮動レバー部材３６と同一面内に位置するよう設けられている。
そして、アーム部材４２の先端部４２ａには凹部４３が形成され、天板３０が使用状態にあるときには、凹部４３が浮動レバー部材３６のレバー部３６ａの一端側に突き当たるようになっている。
【００３８】
これら係止爪部材４１およびアーム部材４２は、操作レバー（操作部材）４０を回転シャフト３９の軸線周り方向に操作することで、回転シャフト３９とともにその軸線周りに回動する。
【００３９】
（操作レバー）
図５に示したように、サポートフレーム３１から突出した回転シャフト３９の端部３９ａには、操作レバー４０が一体的に固定されている。ここで、操作レバー４０は、回転シャフト３９に対し、係止爪部材４１およびアーム部材４２とは反対側に延びるよう設けられている。これにより、操作レバー４０は、回転シャフト３９を介し、係止爪部材４１およびアーム部材４２と一体に設けられている。
【００４０】
（幕板可動機構）
また、幕板１５は、その上端部１５ａが、カムプレート２９の下端部に、リンクプレート４５を介して連結されている。リンクプレート４５の両端部は、カムプレート２９、幕板１５に対してピン４６Ａ、４６Ｂを介して回転自在に連結されている。
また、リンクプレート４５の中間部には、一端がサポートフレーム３１，３１の後端部に連結された連結プレート４７が連結されている。この連結プレート４７も、リンクプレート４５、サポートフレーム３１に対してピン４８Ａ，４８Ｂを介して回転自在に連結されている。
支持脚２０の支柱部２３には、上下方向に連続するスライド溝２３ａが形成されており、幕板１５の下端部１５ｂは、連結ピン４９を介してスライド溝２３ａに沿ってスライド移動自在に連結されている。
【００４１】
（操作レバーによる切り換え）
上記したような構成のテーブル装置１０においては、天板３０を上面３０ａが水平となる使用状態で回転不能な状態とし、テーブル装置１０の移動を拘束した第一の状態、天板３０を上面３０ａが水平となる使用状態で回転不能としたまま、テーブル装置１０の移動の拘束のロックを解除した第二の状態、天板３０を回転可能としたままテーブル装置１０の移動の拘束のロックを解除した第三の状態とに、操作レバー４０の回転操作により切り換え可能とされている。そして、第三の状態では、使用者が天板３０を回転させて使用状態から収納状態へと移行できる状態となる。
以下、詳細を示す。
【００４２】
（第一の状態）
図９（ａ）に示すように、天板３０の上面３０ａが水平で、幕板１５が天板３０の背面側でほぼ垂直となる第一の状態とされたときには、ユーザは、天板３０上のスペースを利用することができる。この状態で、幕板１５は、連結プレート４７のピン４８Ａ，４８Ｂの間隔に応じて、リンクプレート４５がピン４６Ａに対してピン４６Ｂ側が上方に位置し、幕板１５が天板３０の背面側の下方でほぼ鉛直に位置するようになっている。
この状態で、係止爪４１Ｓがロック爪係合溝２９ｂに係止された状態であり、天板３０は、その回転が拘束されて、上面３０ａが水平な使用状態とされている。
また、図７、図８に示したように、この状態では、浮動レバー部材３６の第一ガイド突起３６ｃがスイングプレート３７のガイド溝３７ｃの下端に位置し、これと対応してパッド５１は床面Ｆに接地し、付勢部材５７の付勢力によって床面Ｆに押し付けられている。この状態で、キャスター２４，２５は床面Ｆから浮上することなく接地されたままの状態とされ、パッド５１と床面Ｆとの間の摩擦力によって、テーブル装置１０の移動が拘束されている。
【００４３】
（第二の状態）
図９（ｂ）に示すように、第一の状態から、ユーザが操作レバー４０を一定量上方に引き上げると、係止爪部材４１およびアーム部材４２が、回転シャフト３９の軸線周りに回動する。すると、アーム部材４２より、浮動レバー部材３６が押圧される。すると、浮動レバー部材３６が回転シャフト３６ｂを中心として回動し、第一ガイド突起３６ｃが、スイングプレート３７のガイド溝３７ｃに沿って上方に移動する。
これによって、操作ロッド５８が上方に移動する。すると、付勢部材５７の付勢力に抗してピン５６を中心としてストッパ動作アーム５５が回転し、他方の端部５５ｂ側が上昇する。すると、シャフト５２およびパッド５１が上昇して床面Ｆから離れ、第二の状態となる。これにより、テーブル装置１０は、キャスター２４，２５により床面Ｆ上で移動可能となる。
また、この状態では、係止爪部材４１の先端部に形成された係止爪４１Ｓが、カムプレート２９のロック爪係合溝２９ｂからは完全に抜けておらず係止されたままとされ、天板３０の回動はロックされた状態を維持している。
【００４４】
（第三の状態）
図１に示したように、操作レバー４０をさらに上方に引き上げ操作すると、係止爪部材４１の先端部に形成された係止爪４１Ｓが、カムプレート２９のロック爪係合溝２９ｂから抜けて非係止状態とされる。これによって、キャスター２４，２５により床面Ｆ上で移動可能としつつ、天板３０のロックが解除され、これを上方に撥ね上げ可能な第三の状態となる。
この状態では、シャフト５２およびパッド５１は、第二の状態と同じ状態、すなわち床面Ｆから離れた状態を維持しており、テーブル装置１０は、キャスター２４，２５により床面Ｆ上で移動可能となっている。
【００４５】
（第四の状態）
上記の第三の状態から、ユーザが天板３０の前端部３０ｆを上方に引き上げると、天板３０は、シャフト３３，３３を中心として回転する。すると、天板３０の背面側に一端が連結された連結プレート４７が、天板３０の回転に伴って下方に移動し、これによってリンクプレート４５の中間部が下方に向けて押圧される。リンクプレート４５は、ピン４６Ａを中心として回動し、ピン４６Ｂ側が下方に向けて移動する。その結果、幕板１５が下方に押し下げられる。このとき、幕板１５の下端部は、支柱部２３のスライド溝２３ａに沿って下方に向けてスライド移動する。
そして、サポートフレーム３１に形成された凹部３１ｂに連結シャフト２６が突き当たった時点で、天板３０の回転が規制される。この状態で、係止爪部材４１の係止爪４１Ｓが、カムプレート２９に形成された段部２９ｄに嵌り込み、これによって、天板３０を跳ね上がった状態となる収納状態で回転不能に拘束する。このようにして、最終的に、天板３０および幕板１５は、支柱部２３の背面側に沿って位置する状態まで引き起こされる。
これにより、テーブル装置１０は、複数台を前後に重合させて収容することが可能となる。
また、図４に示したように、この状態では、浮動レバー部材３６の第一ガイド突起３６ｃがスイングプレート３７のガイド溝３７ｃの下端に位置しているが、天板３０の回動動作にともなってスイングプレート３７がシャフト３３を中心として回動し、第一ガイド突起３６ｃの位置は、第二、第三の状態と同じ状態に維持されている。これによって、パッド５１が床面Ｆから離れたままであり、テーブル装置１０は、キャスター２４，２５により床面Ｆ上で移動可能な状態を維持している。
【００４６】
第四の状態から天板３０の前端部３０ｆを押し下げると、天板３０がシャフト３３，３３を中心として回転しつつ、リンクプレート４５と連結プレート４７とによって、幕板１５が上方に引き上げられる。
天板３０のサポートフレーム３１の下面３１ａが連結シャフト２６上に突き当たった時点で、天板３０が水平な第二の状態となる。この状態で、操作レバー４０を下げると、付勢部材５７の付勢力によって、ストッパ動作アーム５５が回転して、端部５５ｂが下降し、これによって、シャフト５２およびパッド５１が下降して床面Ｆに接地され、第一の状態となる。
【００４７】
上述したような構成によれば、操作レバー４０を操作することによって、係止爪部材４１により天板３０の回転の拘束・解除がなされるとともに、アーム部材４２によりパッド５１を昇降させる操作ロッド５８が操作される。このように、テーブル装置１０においては、使用者の操作レバー４０の操作に応じて、天板３０の撥ね上げの有無、テーブル装置１０の移動の拘束のロックの有無を容易に選択することができる。
そして、操作レバー４０の操作で、天板３０の回転のロックを解除した状態では、天板３０を軽い操作力で容易に回転させることが可能となる。また、操作レバー４０の回転は、天板３０の回転動作とは独立しているため、軽い操作力で操作レバー４０を操作できる。
【００４８】
また、操作レバー４０の操作のみで、天板３０を撥ね上げることなく、パッド５１を操作して、テーブル装置１０の移動の拘束を解除することができる。これにより、天板３０上に物品等を載せたままでも、テーブル装置１０を容易に移動させることができ、利便性を高めることができる。また、天板３０を撥ね上げた状態では、常にテーブル装置１０を容易に移動させることができる。
【００４９】
加えて、操作レバー４０の操作は、天板３０を水平とした使用状態で回転不能としつつ、テーブル装置１０の移動を拘束した第一の状態と、天板３０を水平とした使用状態で回転不能としつつ、テーブル装置１０の移動の拘束を解除した第二の状態と、天板３０を水平とした使用状態で回転可能としつつ、テーブル装置１０の移動の拘束を解除した第三の状態とで、操作レバー４０を一方向に回転させて連続的に切換操作することができる。また、第三の状態から天板３０を回動させると、天板３０を収納状態として回転不能としつつ、テーブル装置１０の移動の拘束を解除した第四の状態に移行させることができる。以上のように、操作がシンプルで使用者にとってわかりやすく、操作性に優れる。
【００５０】
さらには、テーブル装置１０の移動の拘束は、パッド５１を床面に押し付けて、その摩擦抵抗のみによって行うようにした。これにより、テーブル装置１０を持ち上げるような操作が不要であり、軽い操作力でテーブル装置１０の移動を拘束することができ、操作性に優れる。
【００５１】
また、浮動レバー部材３６は、アーム部材４２によって押圧されることで、第一ガイド突起３６ｃがスイングプレート３７のガイド溝３７ｃに沿って移動し、カムガイド孔２９ｃは、第二ガイド突起３６ｄの移動動作を妨げないよう形成されている。つまり、浮動レバー部材３６は、アーム部材４２と、第一ガイド突起３６ｃが挿入されたスイングプレート３７のガイド溝３７ｃのみによって支持されている。これによって、天板３０を回動させても、スイングプレート３７がシャフト３３を中心として回動し、第一ガイド突起３６ｃの位置は維持され、パッド５１が床面Ｆから離れた状態を維持できるようになっている。
【００５２】
（その他の実施形態）
なお、本発明のテーブル装置は、図面を参照して説明した上述の実施形態に限定されるものではなく、その技術的範囲において様々な変形例が考えられる。
例えば、テーブル装置１０の各部の構成は、本発明の主旨に沿った構成を実現できる形状、構造であれば、他のいかなる構成としても良い。例えば、天板３０は、前端部３０ｆ側ではなく、後端部３０ｒ側を撥ね上げるような構成とすることも可能である。また、幕板１５は、天板３０と連動して移動するのではなく、支柱部２３に一体に固定された構成としてもよい。また、使用状態では、天板３０は、水平となる状態としたが、これに限らず、傾斜した状態としても良い。
また、操作レバー４０を上方に回転させることで、天板３０、テーブル装置１０の移動の拘束を解除するようにしたが、その操作方向は限定するものではない。さらには、操作レバー４０は、回転動作ではなく、スライド操作等によって操作を行う構成とすることも可能である。
これ以外にも、本発明の主旨を逸脱しない限り、上記実施の形態で挙げた構成を取捨選択したり、他の構成に適宜変更することが可能である。
【符号の説明】
【００５３】
１０  テーブル装置
１５  幕板
２０  支持脚
２１  ベース部
２３  支柱部
２４，２５  キャスター
２６  連結シャフト
２７  取付プレート部
２９  カムプレート
２９ｂ      ロック爪係合溝（被係止部）
２９ｃカムガイド孔
３０  天板
３０ａ      上面
３１各サポートフレーム
３３  シャフト
３５     回転シャフト
３６  浮動レバー部材（レバー部材）
３７  スイングプレート（ガイド部材）
３７ｃ      ガイド溝
３９  回転シャフト
４０  操作レバー（操作部材）
４１  係止爪部材
４２  アーム部材
４１Ｓ      係止爪（係止部）
５０  ストッパ機構（移動拘束機構）
５１  パッド（接地部材）
５２  シャフト
５３  スリーブ
５５  ストッパ動作アーム
５７  付勢部材
５８  操作ロッド
５９  管体
【図１】
0005927029.tif 000002
【図２】
0005927029.tif 000003
【図３】
0005927029.tif 000004
【図４】
0005927029.tif 000005
【図５】
0005927029.tif 000006
【図６】
0005927029.tif 000007
【図７】
0005927029.tif 000008
【図８】
0005927029.tif 000009
【図９】
0005927029.tif 000010